(57)【要約】      （修正有）【課題】香料成分の放出によって、吸収性物品の交換開始タイミングを着用者に知らせることを可能とする吸収性物品を提供する。【解決手段】吸収性物品は、吸収性物品が着用者に接触する前に所定応力を加えることが可能な位置に、所定応力によって香料成分を放出する香料物質が付与された特定部位６０を備える。着用者に接触する前に香料物質から放出される香料成分の放出量は、接触する後に香料物質から放出される香料成分の放出量より少ない。【選択図】図２
2014113302.tif 000002
【特許請求の範囲】
【請求項１】
着用者の体液を吸収可能であり、着用可能な吸収性物品であって、
前記吸収性物品が着用者に接触する前に所定応力を加えることが可能な位置に、前記所定応力によって香料成分を放出する香料物質が付与された特定部位を備えることを特徴とする吸収性物品。
【請求項２】
前記吸収性物品は、使い捨ての物品であることを特徴とする請求項１に記載の吸収性物品。
【請求項３】
前記吸収性物品が着用者に接触する前に前記香料物質から放出される香料成分の放出量は、前記吸収性物品が着用者に接触する後に前記香料物質から放出される香料成分の放出量よりも少ないことを特徴とする請求項１に記載の吸収性物品。
【請求項４】
前記香料成分は、オキシトシン又は前記オキシトシンを誘発する誘発成分を含むことを特徴とする請求項１に記載の吸収性物品。
【請求項５】
前記特定部位は、製品厚み方向において最も外側の面に設けられることを特徴とする請求項１に記載の吸収性物品。
【請求項６】
前記特定部位は、不織布によって構成されることを特徴とする請求項３に記載の吸収性物品。
【請求項７】
前記特定部位を構成する不織布の表面は、凹凸を有することを特徴とする請求項５に記載の吸収性物品。
【請求項８】
前記特定部位は、前記吸収性物品が着用者に接触する前において、前記吸収性物品を着用者に装着する準備手順で所定応力が加わる位置に設けられることを特徴とする請求項１に記載の吸収性物品。
【請求項９】
前胴回り域と、後胴回り域と、前記前胴回り域と前記後胴回り域との間に位置する股下域とを備え、
前記特定部位は、製品厚み方向において、前記股下域と重なる位置に設けられることを特徴とする請求項１に記載の吸収性物品。
【請求項１０】
前記特定部位は、前記製品厚み方向において最も内側の面に設けられることを特徴とする請求項１に記載の吸収性物品。
【請求項１１】
前胴回り域と、後胴回り域と、前記前胴回り域と前記後胴回り域との間に位置する股下域とを備え、
前記前胴回り域及び前記後胴回り域の一方に止着部材が設けられており、前記前胴回り域及び前記後胴回り域の一方に被止着領域が設けられており、
前記吸収性物品は、前記止着部材が被止着領域に止着された状態でパッケージに封入されており、
前記特定部位は、前記止着部材又は前記止着領域に設けられることを特徴とする請求項１に記載の吸収性物品。
【請求項１２】
１対の脚周り域を備え、
前記特定部位は、前記１対の脚周り域の少なくともいずれか一方に設けられることを特徴とする請求項１に記載の吸収性物品。
【発明の詳細な説明】
【技術分野】
【０００１】
本発明は、着用者の体液を吸収可能であり、着用可能な吸収性物品に関する。
【背景技術】
【０００２】
従来、経血又は尿などの排泄物の臭いを緩和することを目的として、吸収体と重なる位置に香料成分が付与された吸収性物品が提案されている（例えば、特許文献１）。香料成分は、マイクロカプセルに封入されており、プルストリップの剥離によってマイクロカプセルが破裂し、マイクロカプセルの破裂によって香料成分が放出される。
【先行技術文献】
【特許文献】
【０００３】
【特許文献１】特表２０００−５０６４２６号公報
【発明の概要】
【発明が解決しようとする課題】
【０００４】
ところで、上述した吸収性物品の目的は、排泄物の臭いの緩和であるため、吸収性物品が着用者に接触した後において、吸収性物品の装着後にプルストリップを剥離することが想定されている。すなわち、上述した吸収性物品では、吸収性物品の交換において吸収性物品が着用者に接触するタイミング（以下、交換開始タイミング）を香料成分の放出によって着用者に知らせることができない。
【０００５】
特に、新生児の視力は十分に発達していないため、交換開始タイミングを香料成分の放出によって新生児に知らせることは非常に効果的である。
【０００６】
そこで、本発明は、上述した課題を解決するためになされたものであり、香料成分の放出によって、吸収性物品の交換開始タイミングを着用者に知らせることを可能とする吸収性物品を提供することを目的とする。
【課題を解決するための手段】
【０００７】
第１の特徴に係る吸収性物品は、着用者の体液を吸収可能であり、着用可能な物品である。吸収性物品は、前記吸収性物品が着用者に接触する前に所定応力を加えることが可能な位置に、前記所定応力によって香料成分を放出する香料物質が付与された特定部位を備える。
【発明の効果】
【０００８】
本発明によれば、、香料成分の放出によって、吸収性物品の交換開始タイミングを着用者に知らせることを可能とする吸収性物品を提供することができる。
【図面の簡単な説明】
【０００９】
【図１】図１は、第１実施形態に係る吸収性物品１の展開平面図である。
【図２】図２は、図１に示すＡ−Ａ’線に沿った吸収性物品１の断面図である。
【図３】図３は、図１に示すＢ−Ｂ’線に沿った吸収性物品１の断面図である。
【図４】図４は、図１に示すＣ−Ｃ’線に沿った吸収性物品１の断面図である。
【図５】図５は、第１実施形態において、図５は、着用者Ｗが吸収性物品１を着用した状態を示す図である。
【図６】図６は、第１実施形態に係る吸収性物品１の製造工程を模式的に示す図である。
【図７】図７は、第１実施形態に係る香料成分の放出量の変化を示す図である。
【発明を実施するための形態】
【００１０】
以下において、第１実施形態に係る吸収性物品について、図面を参照しながら説明する。なお、以下の図面の記載において、同一又は類似の部分には、同一又は類似の符号を付している。
【００１１】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１２】
［実施形態の概要］
実施形態に係る吸収性物品は、着用者の体液を吸収可能であり、着用可能な物品である。吸収性物品は、前記吸収性物品が着用者に接触する前に所定応力を加えることが可能な位置に、前記所定応力によって香料成分を放出する香料物質が付与された特定部位を備える。
【００１３】
実施形態では、香料物質が付与された特定部位は、吸収性物品が着用者に接触する前に所定応力を加えることが可能な位置に設けられる。これによって、吸収性物品が着用者に接触するタイミング（以下、交換開始タイミング）よりも前に香料成分を放出することが可能であり、交換開始タイミングよりも前に着用者に反復的に香料成分を嗅がせることができる。言い換えると、吸収性物品の交換準備段階において、着用者に反復的に香料成分を嗅がせることができる。これによって、吸収性物品の交換開始タイミングを着用者に知らせることができる。特に、新生児の視力は十分に発達していないため、交換開始タイミングを香料成分の放出によって新生児に知らせることは非常に効果的である。
【００１４】
実施形態では、吸収性物品の一例として、着用者の体液（尿など）を吸収可能なおむつを例にあげるが、実施形態は、これに限定されるものではない。吸収性物品は、使い捨ての物品であることが好ましい。吸収性物品は、着用者の身体に接触する部位を少なくとも備えていればよく、例えば、着用者が身につけるものであればよい。また、着用者の身体に接触する部位の少なくとも一部は、不織布によって構成されることが好ましい。
【００１５】
ここで、実施形態において、吸収性物品は、使い捨てであることが好ましい。これによって、１枚１枚の吸収性物品の狙った位置に香料成分を付与することが可能であり、香料成分の放出タイミングをコントロールすることができる。
【００１６】
［第１実施形態］
（吸収性物品の構造）
図１〜図４を用いて、第１実施形態に係る吸収性物品１について説明する。図１は、吸収性物品１の展開平面図である。図２は、図１に示すＡ−Ａ’線に沿った吸収性物品１の断面図である。図３は、図１に示すＢ−Ｂ’線に沿った吸収性物品１の断面図である。図４は、図１に示すＣ−Ｃ’線に沿った吸収性物品１の断面図である。ここで、吸収性物品１は、例えば、使い捨ておむつであるが、実施形態は、これに限定されるものではない。例えば、吸収性物品１は、再利用可能な布おむつであってもよい。
【００１７】
図１〜図４に示すように、第１実施形態に係る吸収性物品１は、係止テープ４０を用いて吸収性物品１の背側部分を腹側部分に係止することによって、着用者が着用可能なテープ型（オープン型）の使い捨ておむつである。吸収性物品１は、乳児或いは幼児向けである。
【００１８】
吸収性物品１は、股下域１０Ｃと、後胴回り域２０Ｒと、前胴回り域３０Ｆとを有する。股下域１０Ｃは、前胴回り域３０Ｆと後胴回り域２０Ｒとの間に位置する。後胴回り域２０Ｒは、着用者の後胴回り部（背部分）と接する部分である。前胴回り域３０Ｆは、着用者の前胴回り部（腹部分）と接する部分である。
【００１９】
第１実施形態では、前胴回りシート３０から後胴回りシート２０に向かう方向を製品長手方向Ｌと呼び、製品長手方向Ｌと直交する方向を製品幅方向Ｗと呼ぶ。また、製品長手方向Ｌ及び製品幅方向Ｗに直交する方向を製品厚み方向Ｔと呼ぶ。
【００２０】
第１実施形態では、製品長手方向Ｌにおいて、股下域１０Ｃから前胴回り域３０Ｆに向かう方向を前方向（或いは、前側）と呼ぶ。また、製品長手方向Ｌにおいて、股下域１０Ｃから後胴回り域２０Ｒに向かう方向を後方向（或いは、後側）と呼ぶ。
【００２１】
具体的には、吸収性物品１は、股下シート１０、後胴回りシート２０及び前胴回りシート３０を備える。股下シート１０の後端部及び後胴回りシート２０は、後胴回り域２０Ｒを構成しており、股下シート１０の前端部及び前胴回りシート３０は、前胴回り域３０Ｆを構成する。股下シート１０の中央部分は、股下域１０Ｃを構成する。
【００２２】
吸収性物品１には、一対の脚回り開口部５０が形成される。１対の脚回り開口部５０は、製品幅方向Ｗにおける吸収性物品１の両端部に設けられており、吸収性物品１が着用者に着用された状態で、着用者の脚回りに沿って配置される部分である。
【００２３】
股下シート１０は、トップシート３、バックシート４及び吸収体５によって構成される。製品幅方向Ｗにおける股下シート１０の両端部（端部１０ｂ１及び端部１０ｂ２）には、ギャザー６が設けられる。製品幅方向Ｗにおける後胴回りシート２０の両端部（端部２０ａ）には、係止テープ４０がそれぞれ設けられる。
【００２４】
トップシート３は、製品厚み方向Ｔにおいてバックシート４と比べて肌面側に設けられる。第１実施形態では、トップシート３は、吸収体５を包み込むように設けられる。トップシート３は、吸収体５と接する領域において、ＨＭＡなどで吸収体５と接合されている。トップシート３は、吸収体５と接する領域において、ＨＭＡなどでバックシート４と接合されている。トップシート３は、親水性不織布や織物、開口プラスチックフィルム、開口疎水性不織布などの液透過性のシートによって形成される。
【００２５】
バックシート４は、トップシート３と比べて非肌面側に設けられる。バックシート４は、着用者Ｗの衣類と接触し得る不織布４Ａと、不織布４Ａよりも内側（着用者Ｗの肌側）に位置するバックフィルム４Ｂとを有する。不織布４Ａとバックフィルム４Ｂとは、ＨＭＡなどで接合されている。また、不織布４Ａ及びバックフィルム４Ｂは、トップシート３及びギャザー６と接する領域において、トップシート３とＨＭＡなどで接合されている。不織布４Ａは、吸収体５と接する領域において、ＨＭＡなどで吸収体５と接合されている。
【００２６】
不織布４Ａとしては、スパンボンド−メルトブロー−スパンボンド（ＳＭＳ）不織布、スパンボンド（ＳＢ）不織布及びポイントボンド不織布から構成された疎水性の不織布を用いることができる。また、バックフィルム４Ｂとしては、液不透過性のフィルムを用いることができる。
【００２７】
吸収体５は、トップシート３とバックシート４との間に設けられ、着用者Ｗが排泄した排泄物（尿など）を吸収する。吸収体５は、液体を吸収する吸収体コア５Ａと、コアラップシート５Ｂとを有する。吸収体コア５Ａは、コアラップシート５Ｂによって包まれている。吸収体５は、トップシート３に包まれた状態でバックシート４にＨＭＡなどで接合される。
【００２８】
吸収体コア５Ａは、特に限定されるものではないが、親水性繊維を含んでいてもよい。親水性繊維としては、粉砕パルプ、コットンなどのセルロース、レーヨン、フィブリルレーヨンなどの再生セルロース、アセテート、トリアセテートなどの半合成セルロース、粒子状ポリマー、繊維状ポリマー、熱可塑性疎水性化学繊維、または親水化処理を施した熱可塑性疎水性化学繊維等を単独または混合して用いることができる。一方、コアラップシート５Ｂの少なくとも一部は、液透過性の部材によって構成される。コアラップシート５Ｂとしては、例えば、ティッシュシート、エアースルー繊維不織布、スパンボンド不織布、ＳＭＳ（スパンボンド−メルトブローン−スパンボンド）不織布を用いることができる。
【００２９】
ギャザー６は、疎水性（撥水性）の不織布によって形成されるシート状の部材である。ギャザー６は、複数の細長い伸縮性部材（ライクラ（登録商標）などのポリウレタン繊維など）を含み、伸縮性を有する。ギャザー６は、製品長手方向Ｌに伸長した状態で、製品幅方向Ｗにおける股下シート１０の両端部（端部１０ｂ１及び端部１０ｂ２）に設けられる。このため、吸収性物品１を着用者が着用したときに、着用者Ｗの体型に沿ってギャザー６が吸収体５の側方から立ち上がり、着用者の排泄物の外部への漏れを防止することができる。
【００３０】
図２〜図４に示すように、不織布４Ａは、バックフィルム４Ｂ及びギャザー６を巻き込むように肌面側に折り返される。図３に示すように、不織布４Ａは、製品厚み方向Ｔにおいて後胴回りシート２０と重なる。図４に示すように、不織布４Ａは、製品厚み方向Ｔにおいて前胴回りシート３０と重なる。
【００３１】
図３に示すように、後胴回りシート２０は、製品幅方向Ｗにおいて外側から内側に向けて肌面側に折り返される。折り返された後胴回りシート２０の端部２０ａの一部は、不織布４Ａが折り返された領域と重なるように積層されている。このため、シート状部材が複数枚積層される領域（図中の点線枠内）が形成され、吸収性物品１を着用者が着用したときに、後胴回りシート２０及び係止テープ４０が製品幅方向Ｗの外側に引っ張られても、シート状部材が破断しにくく、係止テープ４０から後胴回りシート２０に力を伝えやすい。
【００３２】
後胴回りシート２０は、製品長手方向Ｌにおける股下シート１０の端部１０ａ１に連なる。また、後胴回りシート２０は、端部１０ａ１において製品幅方向Ｗにおける端部１０ｂ１及び端部１０ｂ２に連なる。第１実施形態では、後胴回りシート２０は、四角形の形状を有する。
【００３３】
後胴回りシート２０は、不織布によって形成される。第１実施形態では、後胴回りシート２０は、例えば、ＳＭＳ不織布、スパンボンド不織布等によって形成される。なお、後胴回りシート２０としては、ＳＭＳ不織布以外にＳＢ不織布などを用いることができる。
【００３４】
図４に示すように、前胴回りシート３０は、製品幅方向Ｗにおいて外側から内側に向けて肌面側に折り返される。折り返された前胴回りシート３０の端部３０ａの一部は、不織布４Ａが折り返された領域と重なるように積層されている。このため、シート状部材が複数枚積層される領域（図中の点線枠内）が形成され、吸収性物品１を着用者が着用した後において、前胴回りシート３０が製品幅方向Ｗの外側に引っ張られても、シート状部材が破断しにくい。
【００３５】
前胴回りシート３０は、製品長手方向Ｌにおける股下シート１０の端部１０ａ２に連なる。また、前胴回りシート３０は、端部１０ａ２において製品幅方向Ｗにおける端部１０ｂ１及び端部１０ｂ２に連なる。第１実施形態では、前胴回りシート３０は、四角形の形状を有する。
【００３６】
前胴回りシート３０は、液不透過性の不織布によって形成される。第１実施形態では、前胴回りシート３０は、ＳＭＳ不織布によって形成される。なお、前胴回りシート３０としては、ＳＭＳ不織布以外にＳＢ不織布などを用いることができる。
【００３７】
図２に示すように、吸収性物品１は、所定応力によって香料成分を放出する香料物質が付与された特定部位６０を有する。特定部位６０は、吸収性物品１をパッケージから取り出してから吸収性物品１が着用者に接触する前に所定応力を加えることが可能な位置に設けられる。ここで、所定応力は、吸収性物品１をこすることによって生じる応力、吸収性物品１をもむことによって生じる応力、吸収性物品１を広げることによって生じる応力である。
【００３８】
このように、吸収性物品１の交換において吸収性物品１が着用者に接触するタイミング（交換開始タイミング）よりも前に加わる所定応力によって、交換開始タイミングよりも前に放出される香料成分が着用者の鼻に到達する。これによって、交換開始タイミングよりも前に着用者に反復的に香料成分を嗅がせることができる。言い換えると、吸収性物品１の交換準備段階において、着用者に反復的に香料成分を嗅がせることができる。従って、吸収性物品１の交換開始タイミングを着用者に知らせることができる。
【００３９】
例えば、吸収性物品１が収容されるパッケージ、或いは、吸収性物品１を保管する容器から、吸収性物品１を取り出す場合において、吸収性物品１に外部から加わる所定応力によって、香料成分が拡散する。これによって、吸収性物品１の交換開始タイミングを着用者に知らせることができる。
【００４０】
特定部位６０は、香料成分を包むマイクロカプセル６０Ａを有する。マイクロカプセル６０Ａに対して所定応力が加わると、マイクロカプセル６０Ａが所定応力によって破裂し、マイクロカプセル６０Ａに封入される香料成分が拡散する。すなわち、マイクロカプセル６０Ａは、香料成分を放出する香料物質の一例である。
【００４１】
マイクロカプセル６０Ａのカプセル膜は、例えば、網状ポリマー物質によって構成される。カプセル膜は、一般的には、球状形状を有する。カプセル膜の内側には、香料成分が封入される。
【００４２】
カプセル膜の材料としては、ポリウレア、ポリウレタン、ポリアミド、メラミン樹脂、尿素樹脂、アルギン塩酸、ゼラチン、アラビアゴム、デンプン等の高分子化合物が挙げられる（例えば、特開２００８−０６３５７５号公報、特開２０１０−００１４１７号公報、）。
【００４３】
香料成分は、オキシトシン又はオキシトシンを誘発する成分を含む。オキシトシンを誘発する成分は、例えば、母乳を主成分として含むことが好ましい。好ましくは、オキシトシンを誘発する成分は、吸収性物品１の着用者の母親の母乳を主成分として含むことが好ましい。このように、オキシトシンを誘発する成分が母乳を主成分として含むことによって、新生児に対して安らかな気持ちを抱かせる効果が期待できる。
【００４４】
但し、オキシトシンを誘発する成分は、これに限定されるものではない。例えば、オキシトシンを誘発する成分は、ローズ油、エチルトリメチルシクロペンテニルブテノール、メチルトリメチルシクロペンテニルペンタノール、及びヘキサヒドロヘキサメチルシクロペンタベンゾピランを含んでもよい（例えば、特開２０１１−０９８８９８号公報）。
【００４５】
特定部位６０は、製品厚み方向Ｔにおいて最も外側の面（最外側面）に設けられることが好ましい。最外側面は、製品厚み方向Ｔにおいて、吸収性物品１の最も外側（非肌面側）に設けられるシートの表面である。例えば、バックシート４（不織布４Ａ及びバックフィルム４Ｂ）の外側（非肌面側）に設けられる最外装シートの表面である。或いは、バックシート４（不織布４Ａ及びバックフィルム４Ｂ）の表面である。言い換えると、特定部位６０は、製品厚み方向Ｔにおいて、非肌面側に露出する。これによって、パッケージから吸収性物品１を取り出すときに、パッケージ等と特定部位６０がこすれて、香料成分が放出されやすい。
【００４６】
或いは、特定部位６０は、製品厚み方向Ｔにおいて最も内側の面（最内側面）に設けられることが好ましい。最内側面は、製品厚み方向Ｔにおいて、吸収性物品１の最も内側（肌面側）に設けられるシートの表面である。例えば、最内側面は、トップシート３の表面である。言い換えると、特定部位６０は、製品厚み方向Ｔにおいて、非肌面側に露出する。これによって、吸収性物品１が折り畳まれた状態から広げられるときに生じうる応力が特定部位６０にかかることによって、香料成分が放出されやすい。
【００４７】
特定部位６０は、マイクロカプセル６０Ａを保持する不織布によって構成される。特定部位６０を構成する不織布の表面は、凹凸を有することが好ましい。詳細には、特定部位６０を構成する不織布の目付は、１５ｇｓｍ〜５０ｇｓｍであることが好ましい。或いは、特定部位６０を構成する不織布の表面に圧搾部が設けられることが好ましい。このようなケースにおいて、圧搾部の間隔は、３ｍｍ〜１０ｍｍであることが好ましい。また、圧搾部の圧搾率は、２０％〜７０％であることが好ましい。但し、圧搾率は、不織布の下面から凹部の底面までの高さ／不織布の下面から凸部の頂上面までの高さ×１００％で表される。
【００４８】
このように、特定部位６０が不織布によって構成されることによって、香料成分を保持しやすい。また、特定部位６０を構成する不織布の表面が凹凸を有することによって、特定部位６０の表面積が増大し、香料成分が拡散しやすい。
【００４９】
特定部位６０は、吸収性物品１が着用者に接触する前において、吸収性物品１を着用者に装着する準備手順で所定応力が加わる位置に設けられることが好ましい。例えば、特定部位６０は、製品厚み方向Ｔにおいて股下域１０Ｃと重なる位置に設けられる。
【００５０】
これによって、吸収性物品１を着用者に装着する準備手順で、股下域１０Ｃをこする、股下域１０Ｃをもむ、或いは、股下域１０Ｃを広げるといった動作が行われることによって、所定応力によって香料成分が放出される。従って、吸収性物品１を着用者に装着する準備において、吸収性物品１を持ち替える、何かしらのシートを剥離する等の特別な動作を必要とせずに、着用者に香料成分を嗅がせることができる。言い換えると、装着者は、着用者から視線を離さずに、吸収性物品１の交換準備（パッケージに封入される吸収性物品１に装着者が吸収性物品１に接触する、パッケージから吸収性物品１を取り出すときに装着者が吸収性物品１をもむ、装着者が吸収性物品１を振って吸収性物品１を開く等の準備）において、何ら特別な動作を必要とせずに、着用者に香料成分を反復的に嗅がせることができる。これによって、着用者が香料成分を嗅いでから吸収性物品１の交換が開始するという流れが着用者にとって習慣化する。
【００５１】
係止テープ４０は、ＨＭＡなどによって後胴回りシート２０の端部２０ａに取り付けられる。
【００５２】
例えば、係止テープ４０は、面ファスナーの雄部材を含み、複数の鉤状の突起群（フック）が形成された係止面４０ａを有する。係止面４０ａは、股下シート１０の端部１０ａ２に設けられたターゲットテープ部１０ｔに係止される。第１実施形態では、係止面４０ａを除く他の係止テープ４０の部分は、ＳＢ不織布によって形成される。なお、係止テープ４０の素材としては、ＳＢ不織布以外に、樹脂フィルムなどが挙げられる。
【００５３】
ここで、係止テープ４０の一部として特定部位６０を設ける場合においては、係止テープ４０の一部が不織布によって構成されており、オキシトシン又はオキシトシンを誘発する成分が不織布に付与されることが好ましい。
【００５４】
（吸収性物品の着用）
図５は、着用者Ｗが吸収性物品１を着用した状態を示す図である。図５に示すように、吸収性物品１は、吸収体５が着用者Ｗの股間ＷＧに位置するように着用者Ｗに装着される。
【００５５】
吸収性物品１を着用者Ｗに装着する装着者（不図示）は、係止テープ４０を着用者の腹側に引っ張り、引っ張った状態の係止テープ４０を股下シート１０のターゲットテープ部１０ｔに係止する。これにより、着用者Ｗに装着される。
【００５６】
（吸収性物品の製造方法）
以下において、第１実施形態に係る吸収性物品１の製造方法について説明する。ここでは、特に、後胴回りシート２０及び前胴回りシート３０の製造方法を主に説明する。なお、股下シート１０など、他の部分は、公知の製造方法に従って製造可能である。
【００５７】
図６は、吸収性物品１の製造工程を模式的に示す図である。図６に示すように、吸収性物品１の製造工程には、第１折り工程Ｓ１０と、第２折り工程Ｓ２０と、係止テープ貼付工程Ｓ３０と、第１切断工程Ｓ４０と、フラップ貼付工程Ｓ５０と、第２切断工程Ｓ６０とが含まれる。
【００５８】
第１折り工程Ｓ１０では、搬送方向ＭＤに沿って連続するフラップシート１３０Ｓの測端部１３０ｃ及び測端部１３０ｄが、フラップシート１３０Ｓの中心線ＣＬ側に向けてフラップシート１３０Ｓの上面１３０ｅ側に折り畳まれ、ＨＭＡなどにより接着される。中心線ＣＬは、フラップシート１３０Ｓの製品幅方向Ｗ（搬送方向ＭＤに直交する方向）の中心を通過する直線である。
【００５９】
第２折り工程Ｓ２０では、フラップシート１３０Ｓの測端部１３０ｃ及び測端部１３０ｄが折り畳まれることによって形成された折畳端部１３０ｆ及び折畳端部１３０ｇが中心線ＣＬに向けてフラップシート１３０Ｓの上面１３０ｅ側に折り畳まれる。これにより、フラップシート１３０Ｓの両端部には、フラップシート１３０Ｓが複数枚重ねられた重複部分１３０ｈ及び重複部分１３０ｉが形成される。
【００６０】
係止テープ貼付工程Ｓ３０では、一対の係止テープ４０が連続したテープ部材４０Ｓが、搬送方向ＭＤに沿って所定間隔を空けてフラップシート１３０Ｓに貼り付けられる。テープ部材４０Ｓの中央には、搬送方向ＭＤに沿ってミシン目４０ｃなどのように、テープ部材４０Ｓを一対の係止テープ４０に分離することを容易にする加工が施されている。
【００６１】
第１切断工程Ｓ４０では、フラップシート１３０Ｓが搬送方向ＭＤに直交する交差方向ＣＤに沿って所定間隔を空けて切断される。フラップシート１３０Ｓが切断された切断片３２は、後胴回りシート２０と前胴回りシート３０とが一体化されたものである。
【００６２】
フラップ貼付工程Ｓ５０では、切断片３２が股下域連続体１０Ｓ上に所定間隔を空けて配置される。股下域連続体１０Ｓは、外装シート（トップシート３及びバックシート４）の連続体に吸収体５が間欠的に配置されている。切断片３２は、間欠的に配置された吸収体５の隙間を覆うように股下域連続体１０Ｓ上に配置され、股下域連続体１０Ｓに接合される。
【００６３】
第２切断工程Ｓ６０では、切断片３２が接合された股下域連続体１０Ｓが交差方向ＣＤに沿って切断される。切断片３２は、一の製品の後胴回りシート２０と、当該一の製品に続く製品の前胴回りシート３０とに分離される。上述した工程Ｓ１０〜Ｓ６０が実行されることによって、吸収性物品１が完成する。
【００６４】
ここで、上述した特定部位６０は、股下域連続体１０Ｓ、フラップシート１３０Ｓ、テープ部材４０Ｓに予め貼付されている。
【００６５】
（香料成分の放出量）
以下において、第１実施形態に係る香料成分の放出量の変化について説明する。図７は、第１実施形態に係る香料成分の放出量の変化を示す図である。
【００６６】
図７に示すように、交換準備段階において、特定部位６０に付与された香料物質から放出される香料成分の放出量が最も大きい。香料成分の放出量は、交換段階及び使用段階において減少を続ける。すなわち、交換準備段階における香料成分の放出量は、交換段階における香料成分の放出量よりも大きく、交換段階における香料成分の放出量は、使用段階における香料成分の放出量よりも大きい。
【００６７】
ここで、交換準備段階は、パッケージから吸収性物品１を取り出してから吸収性物品１が着用者に接触するタイミング（交換開始タイミング）までの段階である。交換段階は、吸収性物品１の交換が行われている段階である。使用段階は、吸収性物品１の交換が完了したタイミング（交換完了タイミング）以降の段階である。
【００６８】
このように、交換準備段階（すなわち、吸収性物品１が着用者に接触する前）において、香料成分の放出量がピークを迎えることによって、吸収性物品１の交換準備段階にあることを着用者に伝え、着用者に反復的に香料成分を嗅がせることができる。
【００６９】
（作用及び効果）
第１実施形態では、香料物質が付与された特定部位６０は、吸収性物品１が着用者に接触する前に所定応力を加えることが可能な位置に設けられる。これによって、吸収性物品１が着用者に接触するタイミング（以下、交換開始タイミング）よりも前に香料成分を放出することが可能であり、交換開始タイミングよりも前に着用者に反復的に香料成分を嗅がせることができる。言い換えると、吸収性物品１の交換準備段階において、着用者に反復的に香料成分を嗅がせることができる。これによって、吸収性物品１の交換開始タイミングを着用者に知らせることができる。特に、新生児の視力は十分に発達していないため、交換開始タイミングを香料成分の放出によって新生児に知らせることは非常に効果的である。
【００７０】
また、吸収性物品１が使い捨てであることによって、１枚１枚の吸収性物品１の狙った位置に香料成分を付与することが可能であり、香料成分の放出タイミングをコントロールすることができる。
【００７１】
[変更例１]
以下において、第１実施形態の変更例１について説明する。以下においては、第１実施形態に対する相違点について主として説明する。
【００７２】
第１実施形態では、吸収性物品１を着用者に装着する準備手順で所定応力が加わる位置として股下域１０Ｃを例示した。すなわち、特定部位６０が股下域１０Ｃに設けられるケースについて例示した。
【００７３】
これに対して、変更例１では、前胴回り域３０Ｆ及び後胴回り域２０Ｒの一方に止着部材が設けられており、前胴回り域３０Ｆ及び後胴回り域２０Ｒの一方に被止着領域が設けられており、吸収性物品１が止着部材が被止着領域に止着された状態でパッケージに封入されるケースについて考える。このようなケースにおいて、特定部位６０は、止着部材（例えば、係止テープ４０）又は被止着領域（例えば、ターゲットテープ部１０ｔ）に設けられる。
【００７４】
ここで、係止テープ４０は、股下シート１０、後胴回りシート２０及び前胴回りシート３０とは別体であることが一般的である。同様に、ターゲットテープ部１０ｔは、股下シート１０、後胴回りシート２０及び前胴回りシート３０とは別体であることが一般的である。すなわち、吸収性物品１の製造工程において、股下シート１０、後胴回りシート２０及び前胴回りシート３０とは別体の部材に特定部位６０を予め形成することが可能であるため、吸収性物品１の製造工程の複雑化が抑制される。
【００７５】
或いは、吸収性物品１がパッケージに封入された状態において、止着部材（例えば、係止テープ４０）が被止着領域（ターゲットテープ部１０ｔとは異なる領域）に止着されているケースにおいては、吸収性物品１を着用者に装着する準備において、止着部材が被止着領域から必ず剥離されるため、着用者に香料成分を確実に嗅がせることができる。すなわち、香料成分の嗅がせ漏れが抑制される。
【００７６】
[変更例２]
以下において、第１実施形態の変更例２について説明する。以下においては、第１実施形態に対する相違点について主として説明する。
【００７７】
第１実施形態において、特定部位６０は、股下域１０Ｃに設けられる。これに対して、変更例２では、特定部位６０は、脚周り開口部に設けられる。
【００７８】
特定部位６０が脚周り開口部に設けられることによって、吸収性物品１の着用後においても、着用者の動きに応じて生じる応力が特定部位６０に加わりやすい。従って、吸収性物品１の交換準備段階においてピークを迎える香料成分の香料が減少した後において、着用者の動きに応じて香料成分が再び拡散される。これによって、吸収性物品１の交換が完了した後において、吸収性物品１の交換完了を実感させることができる。或いは、吸収性物品１の交換が完了した後において、着用者を楽しませたり、着用者をリラックスさせたりできる。
【００７９】
なお、吸収性物品１を着用者に装着する前に加わる所定応力によって破裂しなかったマイクロカプセル６０Ａが着用者の動きに応じて生じる応力によって破裂することに留意すべきである。また、マイクロカプセル６０Ａの全てが破裂すると、香料の放出が収束することに留意すべきである。このように、吸収性物品１の交換準備段階及び吸収性物品１の交換完了段階の双方において香料が放出されることによって、着用者に対して、吸収性物品１の交換開始タイミングを知らせながら、吸収性物品１の交換完了も知らせることができる。
【００８０】
［その他の実施形態］
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００８１】
実施形態では、吸収性物品１は、３つの別々なシート（股下シート１０、後胴回りシート２０及び前胴回りシート３０）によって構成される。しかしながら、実施形態は、これに限定されるものではない。吸収性物品１は、他の構成を有していてもよい。
【００８２】
実施形態では、吸収性物品１は、オープン型のおむつである。しかしながら、実施形態は、これに限定されるものではない。吸収性物品１は、パンツ型のおむつであってもよい。
【符号の説明】
【００８３】
Ｌ…製品長手方向、Ｔ…製品厚み方向、Ｗ…製品幅方向、１…吸収性物品、３…トップシート、４…バックシート、４Ａ…不織布、４Ｂ…バックフィルム、５…吸収体、５Ａ…吸収体コア、５Ｂ…コアラップシート、６…ギャザー、１０…股下シート、１０Ｃ…股下域、１０Ｓ…股下域連続体、１０ｔ…ターゲットテープ部、２０…後胴回りシート、２０Ｒ…後胴回り域、３０…前胴回りシート、３０Ｆ…前胴回り域、４０…係止テープ、４０ａ…係止面、５０…脚回り開口部、６０…特定部位、１３０Ｓ…フラップシート
【図１】
2014113302.tif 000003
【図２】
2014113302.tif 000004
【図３】
2014113302.tif 000005
【図４】
2014113302.tif 000006
【図５】
2014113302.tif 000007
【図６】
2014113302.tif 000008
【図７】
2014113302.tif 000009